(57)【要約】【課題】球タンクでの球の詰まりを解消する。【解決手段】球タンク３は有底で上面開口する細長の箱状体であり、長手方向が遊技機の幅方向となるように内枠２の背面の上部右側領域に形成されている。球タンク３は、底板３０と、底板３０の下流側で長手方向に形成された、遊技球Ｋの１球が通過できる凹部である球流出部３１と、右側板３２と、左側板３３と、左側板３３内側面に取り付けられ短手方向に対して内側に突出する三角形状の突状部３４と、上流側に位置する前板３５と、下流側に位置する後板３６と、を備えている。【選択図】        図７
2014200452.tif 000002
【特許請求の範囲】
【請求項１】
球タンクと、
球タンクに貯留される遊技球Ｋを球払出装置に供給するタンクレールと、を備え、
前記球タンク及びタンクレールが背面上部に配置される遊技機の球供給装置において、
前記球タンクの底部の一端部に球流出口を備え、
前記球流出口の上流に配置され、短手方向に対して内側に突出する三角形状の突出部と、
該球流出口と反対側の一端部に配置される、行き止まりの迂回路と、
前記球流出口と、前記迂回路とを区画する迂回リブと、
を備えたことを特徴とする遊技機の球供給装置。
【請求項２】
前記迂回リブの下部が前記球流出口の上面より高く設定される請求項１の遊技機の球供給装置。
【請求項３】
前記迂回リブと前記球流出口とが、該球流出口に向かって徐々に傾斜が低くなる傾斜面で接続される請求項１または請求項２の遊技機の球供給装置。
【請求項４】
前記迂回リブが三角リブ形状で長手方向に延び出す請求項１ないし３いずれか１つの請求項１の遊技機の球供給装置。
【請求項５】
前記球流出口と迂回リブが横並びに形成され、前記球流出口に臨む迂回リブの面が湾曲面となり、下流に行くに従い徐々に前記球流出口と迂回リブの面の間隔が狭くなる請求項１ないし４いずれか１つの遊技機の球供給装置。
【請求項６】
前記球タンクの底面が前記球流出口に向かって低くなるように傾斜するのに対し、前記行き止まりの迂回路の底面が下流側に向かって高くなるように傾斜する請求項１ないし５いずれか１つの遊技機の球供給装置。
【請求項７】
前記突出部が前記迂回リブよりも上流に位置する請求項１ないし６いずれか１つの遊技機の球供給装置。
【請求項８】
前記タンクレールの前記球タンクから下流側の領域の前部と後部にそれぞれ構造の相違する球均し部材を配置する請求項１ないし７いずれか１つの遊技機の球供給装置。
【発明の詳細な説明】
【技術分野】
【０００１】
本発明は、タンクとタンクレールとを備え、遊技球を球払出装置に供給する遊技機の球供給装置に関する。
【背景技術】
【０００２】
特許文献１に記載の発明は、一条のタンクレールであっても球詰まりを起こすことなく流出できる球タンクとする目的で、球タンクを、パチンコ球を受け止める球受け面１０ａと、その下流に下流面１０ｂとに分割する。球受け面１０ａを、パチンコ球が下流面１０ｂに向けて転動する緩い傾斜面とし、下流面１０ｂを球受け面１０ａと直交する方向に向けた緩い傾斜面とする。下流面１０ｂの下流部にパチンコ球をタンクレールへ導く球流出口１６を設ける。さらに、球流出口１６を設けた側から略中央位置まで球受け面１０ａと下流面１０ｂとを分離する誘導提１９を設ける。さらに球流出口１６に、球流出口１６の上方へせり出す球均し突条１７を設けて、パチンコ球が下流面１０ｂ上に２層以上に重なった場合であっても下層のパチンコ球が優先的に球流出口から流れ出させる。
【先行技術文献】
【特許文献】
【０００３】
【特許文献１】特開平２０１２−２４３２７号公報
【発明の概要】
【発明が解決しようとする課題】
【０００４】
しかしながら、特許文献１の発明では、球タンクの底面を傾斜面とし、誘導堤を設けているものの、依然として、球流出口に遊技球が集中し、補給装置から補給されるパチンコ球の球圧が作用して、これらの球圧により球詰まりを生じるおそれを排除することが困難であった。
【課題を解決するための手段】
【０００５】
そこで、請求項１の発明では、球タンクと、球タンクに貯留される遊技球を球払出装置に供給するタンクレールと、を備え、前記球タンク及びタンクレールが背面上部に配置される遊技機の球供給装置において、前記球タンクの底部の一端部に球流出口を備え、前記球流出口の上流に配置され、短手方向に対して内側に突出する三角形状の突出部と、  該球流出口と反対側の一端部に配置される、行き止まりの迂回路と、前記球流出口と、前記迂回路とを区画する迂回リブと、を備えたことを特徴とする。
【０００６】
前記迂回リブの下部が前記球流出口の上面より高く設定されることが好ましい。
【０００７】
前記迂回リブと前記球流出口とが、該球流出口に向かって徐々に傾斜が低くなる傾斜面で接続されることが好ましい。
【０００８】
前記迂回リブが三角リブ形状で長手方向に延び出すことが好ましい。
【０００９】
前記球流出口と迂回リブが横並びに形成され、前記球流出口に臨む迂回リブの面が湾曲面となり、下流に行くに従い徐々に前記球流出口と迂回リブの面の間隔が狭くなることが好ましい。
【００１０】
前記球タンクの底面が前記球流出口に向かって低くなるように傾斜するのに対し、前記行き止まり迂回路の底面が下流側に向かって徐々に高くなることが好ましい。
【００１１】
前記突出部が前記迂回リブよりも上流に位置することが好ましい。
【００１２】
前記タンクレールの前記球タンクから下流側の領域の前部と後部にそれぞれ構造の相違する球均し部材を配置することが好ましい。
【発明の効果】
【００１３】
請求項１の発明により、三角形状の突出部で遊技球の流れ方向が変更され、一部の遊技球が行き止まり迂回路で遊動することで遊技球の緩衝地帯（バッファーゾーン）として作用し、遊技球が迂回リブに誘導されながら球流出口に入るので、パチンコ球に球圧がかかることを防止して、球流出口付近に貯留されたパチンコ球の球詰まりを防止して、球迂回路を一条にすることが可能となり、タンクレールを薄くすることができる。
【００１４】
請求項２の発明により、前記迂回リブの下部が前記球流出口の上面より高く設定されるので、遊技球の球流出口への流れが円滑になり、遊技球の詰りが少なくなる。
【００１５】
請求項３の発明により、前記迂回リブと前記球流出口とが、該球流出口に向かって徐々に傾斜が低くなる傾斜面で接続されるので、遊技球の移動速度が加速できる。
【００１６】
請求項４の発明により、前記迂回リブが三角リブ形状で長手方向に延び出すので、行き止まり迂回路から球流出口への円滑な遊技球の誘導を行うことができる。
【００１７】
請求項５の発明により、前記球流出口と迂回リブが横並びに形成され、前記球流出口に臨む迂回リブの面が湾曲面となり、下流に行くに従い徐々に前記球流出口と迂回リブの面の間隔が狭くなるので、遊技球の球流出口への適切な誘導が可能である。
【００１８】
請求項６の発明により、前記球タンクの底面が前記球流出口に向かって低くなるように傾斜するのに対し、前記行き止まりの迂回路は下流側に向かって高くなるので、遊技球の迂回を適切に行うことができる。
【００１９】
請求項７の発明により、前記突出部が前記迂回リブよりも上流に位置するので、協働して、遊技球の球流出口への遊技球の誘導率を適切に制御できる。
【００２０】
請求項８の発明により、前記タンクレールの前記球タンクから下流側の領域の前部と後部にそれぞれ構造の相違する球均し部材を配置するので、遊技球の誘導を円滑とし、タンクレールを小型化できる。
【図面の簡単な説明】
【００２１】
【図１】本発明実施形態の内枠２に取り付けられた球供給装置１の裏側から見た斜視図である。
【図２】同じく表側から見た斜視図である。
【図３】同じく正面図である。
【図４】同じく裏面図である。
【図５】同じく平面図である。
【図６】同じく左側面である。
【図７】球タンク３とタンクレール４の拡大平面図である。
【図８】本発明実施形態の内枠２に取り付けられた球供給装置１の正面図である。
【図９】同じく平面図である。
【図１０】同じく側面図である。
【図１１】本発明実施形態の受け皿１５の拡大斜視図である。
【発明を実施するための形態】
【００２２】
以下に、本発明実施形態の遊技機の球供給装置１について図１〜図１１を参照して説明する。球供給装置１は、横方向に延び出す第１球通路ユニットＡと、縦方向に延び出す第２球通路ユニットＢに分割されて、これらがＬ字形状に連続するように矩形状の内枠２に取着されたものである。第１球通路ユニットＡ及び第２球通路ユニットＢは、遊技球Ｋの流下する状態を視認し易くするため、光透過性合成樹脂材により形成される。内枠２は方形の開口２０を備えており、方形の開口２１を有する矩形状の外枠２２の一方側の縦枠に対してヒンジ２３により開閉可能に取り付けられる。第１球通路ユニットＡ、第２球通路ユニットＢはビス（図示略）により内枠２に取り付けられる。
【００２３】
第１球通路ユニットＡは、内枠２の背面側に設けられて遊技球Ｋを受け入れ、一時的に貯留し、下流に排出する球タンク３と、球タンク３の下流側に接続し球タンク３から流出する遊技球Ｋを受けて一列に長手方向に１列に整列誘導するタンクレール４と、タンクレール４を流れる遊技球Ｋを均す第１球均し部材５と、第１球均し部材５の下流側に設けられ、タンクレール４を流れる遊技球Ｋを均す第２球均し部材６と、タンクレール４と接続し遊技球Ｋの流れ方向を変更する横樋７と、を備えている。図３、図６等に示す通り、第１球通路ユニットＡは内枠２の片側（右側）の裏側縦材２ａから遊技領域側に位置する。図１に示す通り、裏側縦材２ａは表側縦材２ｂと直交して接続する。
【００２４】
第１球均し部材５はタンクレール４の前部の上方に上下に変位可能に設けられ、第２球均し部材６はタンクレール４の後部に長手方向に回動変位可能であり、遊技球Ｋの流れを上から押さえることにより、タンクレール４からの遊技球Ｋの流出を防止する。タンクレール４の後端と横樋７の前端が接続されている。タンクレール４が球タンク３と隣接する領域には、第１球均し部材５の上流側に縦方向に延び出す板材である規制部１２を設けている。球タンク３の下側には特定間隔を置いて板状リブである底部材１３が別部品として成形されて、この底部材１３の上部に間隙を置いて球タンク３が取り付けられ、二重底構造となっており、遊技球Ｋの落下の衝撃等を好適に緩和できる。さらに、底部材１３の下流側端部が延長されて、タンクレール４の底面と一体になっている。底部材１３はカバー４０と連続的に一体で形成される。タンクレール４の側板側はカバー４０と連結され、対向する他の側板はタンク３と連結する。
【００２５】
球タンク３の下流側の端部の上面部には、図１１に示す受け皿１５が取り付けられ、この受け皿１５の上にパチンコ機が配置されたホールの島から遊技球Ｋが補給され、遊技球Ｋを一旦、受けてから、球タンク３へ流下させる。受け皿１５は図１１以外の図面では図示を略している。受け皿１５の位置は、タンク３の後端部に限らず、他の場所でも良い。なお、弾球遊技機のその他の構成は公知であるので、その他の構成の記載は略す。
【００２６】
球タンク３は有底で上面開口する細長の箱状体であり、長手方向が遊技機の幅方向となるように内枠２の背面の上部片側（右側）領域に形成されている。図７に示す通り、球タンク３は、底板３０と、底板３０の下流側で長手方向に形成された、遊技球Ｋの１球が通過できる凹部である球流出部３１と、右側板３２と、左側板３３と、左側板３３内側面に取り付けられ短手方向に対して内側に突出する三角形状の突状部３４と、上流側に位置する前板３５と、下流側に位置する後板３６と、を備えている。底板３０〜左側板３３、前板３５、および後板３６は一体成形されている。突出部３４は別体で成形される。
【００２７】
底板３０が右下がりに傾斜し、左側すなわち上流側ほど高さが小さく設定され、下流側ほど高さが大きくなっており、遊技球Ｋは底板３０に沿って自重で右方向に移動する。球流出部３１はタンクレール４と連通している。図１に示す通り、前板３５の高さＨ1は、遊技球Ｋの直径の２〜３倍、後板３６の最大高さＨ2は４〜６倍に設定されている。
【００２８】
底板３０は、図３、図５、図７等に示す通り、断面Ｖ字形状であり、少なくとも下流側に向かって傾斜する傾斜角度が相違する少なくとも２つの平面領域Ｒ1，Ｒ2を備える。平面領域Ｒ1とＲ1との間には稜線Ｌが形成されている。これにより、底板３０を流れる遊技球Ｋは中央に寄せられるように流れる。
【００２９】
図３等に示す通り、底板３０の傾斜角度と、タンクレール４の傾斜角度は、背面視で右下がりに傾斜し、同様の角度に設定してある。この傾斜角度は３〜６度の範囲（図では５度）で設定されることが好ましい。
【００３０】
左側板３３の下流端部は延長されて、タンクレール４の側面板と一体化されている。
【００３１】
図１等に示す通り、底板３０の底面が下流側に向かって低くなるように傾斜するのに対し、迂回通路３８の底面は下流側に向かって高くなる。
【００３２】
底板３０は、図５等に示す通り、傾斜面３７を備え、傾斜面３７は、右側板３２と後板３６の隅部に形成され、それらの内側面に向かって盛り上がるよう連続的に形成される。傾斜面３７上に迂回通路３８と、迂回リブ３９とが設置される。傾斜面３７の高さが低い領域は弧状に形成される。
【００３３】
突状部３４は、別部品として、左側板３３に着脱自在に止着され、平面視で略三角形状である。突状部３４の側面は平面でも曲面でも良い。図２、図５等に示す通り、平面視で、上流側の側面は傾斜した平面、下流側の側面は凹曲面である。球流出部３１とタンクレール４は、凹部が連続的に一体に形成され連続溝を構成する。突状部３４の隣接する下流側領域に左側板３３に沿って球流出部３１が形成される。
【００３４】
球タンク３は、上流側に入口を備え奥側が行き止まりの平面視で方形の迂回通路３８と、球流出部３１と迂回通路３８とを区画（離隔）する迂回リブ３９と、を備えている。迂回通路３８は球流出口３１と反対側の端部に形成されている。遊技球Ｋが迂回通路３８から球流出口３１へ直接流出しないようになっている。迂回通路３８の横幅が遊技球Ｋ２個入る横幅で、長さは６個以上入るものである。迂回通路３８の入口は傾斜段部３７ａが形成され、２段傾斜となっている。迂回通路３８は迂回リブ３９、右側板３２、後板３６、及び底板３０により形成される通路であり、その側面３方が囲まれ、前面と上面が開放面となっている。迂回リブ３９の壁面は傾斜面３７から上方に突出し、凹部を囲むように形成される。傾斜面３７の高低差により迂回リブ３９の下部が球流出部３１の上面より高く設定される。球流出部３１と迂回リブ３９とが、迂回リブ３９から球流出部３１に向かって徐々に傾斜が低くなる傾斜面３７で接続される。迂回リブ３９は平面視で長手方向に延び出し、壁の間隔が拡大する三角リブ形状である。迂回リブ３９の迂回通路３８に面する側は直面状であり、球流出部３１に面する側は弧状面である。
【００３５】
突状部３４が迂回リブ３９と球流出口３１よりも上流に位置する。迂回リブ３９の高さは遊技球Ｋの１個分である。球流出部３１と迂回リブ３９が長手方向に対して横並びに形成され、下流に行くに従い徐々に球流出部３１と迂回リブ３９の間隔が狭くなり、傾斜面３７の幅が下流に行くに従い小さくなる。球流出部３１の出口近傍では、球流出部３１の一側面と、傾斜面３７とが連続的に滑らかな曲面を形成する。
【００３６】
上記の突状部３４、迂回通路３８、迂回リブ３９により、遊技球Ｋの流れを好適に制御することができ、球流出部３１に遊技球Ｋが集中せず、球圧が適切に制御されることで、円滑に流れる。
【００３７】
図１１に示す通り、受け皿１５は、球タンク３の上部に嵌脱自在な構造であり、皿状の皿本体１６の長手方向に複数枚の仕切板１７が遊技球Ｋ１個の直径よりも小さな間隔を置いて形成されている。皿本体１６の両側面に一対の軸１８が形成され、押え板１９が形成されている。軸１８が右側板３２、左側板３３の対応する上端の箇所に形成される一対の凹部３ａ（図１参照）にそれぞれ嵌着し、押え板１９で右側板３２、左側板３３、３６を抑えることができる。このときに、受け皿１５は、球流出部３１と迂回リブ３９の上部空間を覆う位置関係になる。このとき、受け皿１５は、突状部３４の全部または一部を覆っても良い。
【００３８】
タンクレール４は、図３，図５等に示す通り、球１個が流れる１条式の構造であり、カバー４０と、または、球タンク３と一体成型されたもので、第１球均し部材５と第２球均し部材６の間に形成される屈曲部４１と、第２球均し部材６と独立して同軸に回動し、タンクレール４の球流路の長手方向に倒れ込むことにより遊技球Ｋの流れを止めるストッパとして作用する爪部４２と、を備えたものである。タンクレール４は、その長さＬ2が球タンク３の長さＬ1の４０〜６０％の範囲が好ましい。球流出部３１の長さＬ3はタンクレール４の長さＬ2の４５〜７５％の範囲が好ましい。カバー４０の裏側はスペースであり、部品等の収容スペースが広くなる。
【００３９】
第１球均し部材５と第２球均し部材６は、遊技球Ｋの球圧を軽減するため、それぞれ、タンクレール４の球タンク３から下流側の領域の前部と後部にそれぞれ構造の相違する機構である。第１球均し部材５は図３等に示す通り、側面視で縦長の角形で底面が下流に向かって傾斜する傾斜面となった角形の構造であり、また、上下に位置が調整できるようにカバー４０の表面に締結されている。この第１球均し部材５は、遊技球Ｋが２個以上に積層した状態で流下して場合であっても、上層の遊技球Ｋは第１球均し部材５の左面に突き当たり、下面で誘導された、下層の遊技球Ｋ１個が優先的に球流出部３１から流下し、タンクレール４への入球が規制されるように球均しをする。第２球均し部材６はカバー４０の側板に軸着され長手方向に回動自在となっており、凹部６ａがタンクレール４に上方に立設された凸部４３、凸部４４に嵌脱自在になっている。
【００４０】
横樋７は、タンクレール４の流れ方向と直交する方向に延び出し、少なくとも１箇所で進行方向に蛇行する構造である。横樋７の下流端部は内枠２の裏側縦材２ａの上部に形成され遊技球Ｋが通過する切欠部２ｃ（図６参照）に接続され、この切欠部２ｃで裏側縦材２ａと直交方向に遊技球Ｋを流すものである。横樋７の入口で遊技球Ｋが進行方向を横方向に９０度変更され、その出口で横方向から上下方向に９０度変更される。
【００４１】
第２球通路ユニットＢは、横樋７の後端と接続し自重により遊技球Ｋが流下する上下方向に配置された竪樋８と、竪樋８と接続するＬ字樋９と、Ｌ字樋９と接続する球払出装置１０と、球払出装置１０から払い出された遊技球Ｋを球受け皿（図示略）へ誘導する誘導樋１１と、を備えている。図１、図３等に示す通り、竪樋８は裏側縦材２ａからは遊技領域側と反対側に位置し、Ｌ字樋９、球払出装置１０、誘導樋１１は、裏側縦材２ａから遊技領域側に位置する。
【００４２】
竪樋８は、相互に直交する裏側縦材２ａ（図３等参照）と表側縦材２ｂ（図８等参照）とが成す角部に取り付けられる。竪樋８は、図６に示す通り、遊技球Ｋの上側から加わる球圧を緩和するために上下方向に左右に蛇行した構造を備えている。竪樋８は、図６に示す通り、側面視で、裏側縦材２ａ及び外枠２２の幅寸法範囲内に位置し、かつ、図３等に示す通り、背面視した場合、裏側縦材２ａと外枠２２の隙間に配置形成され、これにより、竪樋８は遊技領域の領域外に配置される。裏側縦材２ａの端部と竪樋８の端部とは面一である。また、表側縦材２ｂの端部と竪樋８の端部とは面一である。これにより、竪樋８のコンパクトな収容が可能である。
【００４３】
竪樋８の入口で遊技球Ｋが進行方向を横方向から上下方向に９０度変更され、その出口で上下方向から横方向に９０度変更される。竪樋８内に遊技球Ｋが存在するか否かを検出する球切れスイッチ（図示略）や、遊技球Ｋを機外へ排出する球抜き機構（図示略）が設けられるものを含む。
【００４４】
Ｌ字樋９は、竪樋８と直交して接続され、その入口で遊技球Ｋを上下方向から横方向に９０度、その流れ方向を変更し、その出口で遊技球Ｋを球払出装置１０に対して横方向から上下方向に９０度、その流れ方向を変更するものである。
【００４５】
球払出装置１０は、遊技球Ｋ（賞球、貸し球）を払い出す樋と、払い出し部と、球通過センサ、モータ等を備えるものである。
【００４６】
誘導樋１１は、球払出装置１０から排出される遊技球Ｋ（賞球）を上皿（図示略）に流下させるものである。
【００４７】
次に球供給装置１の動作及び作用効果を説明する。
【００４８】
まず、球払出装置１０による遊技球Ｋの払出動作を説明する。遊技者が発射ハンドル（図示略）を操作して遊技球Ｋを遊技盤（図示略）の盤面上に発射し、遊技球Ｋが入賞口（図示略）等に入ると、払出制御基板（図示略）が球払出装置１０を作動させ遊技球Ｋを下流の上皿（図示略）に払い出すとともに、払い出し数をカウントして入賞の種類に応じた個数が払い出されると球払出装置１０の払い出し作動を停止させる。また、遊技者が上皿（図示略）にある貸出釦（図示略）を押下すると、払出制御基板（図示略）が球払出装置１０を作動させ遊技球Ｋを下流の上皿（図示略）に払い出す。したがって、球払出装置１０から遊技球Ｋの払い出しが行われる間には、球貸し時、入賞時のいずれも、遊技球Ｋが球タンク３、タンクレール４、横樋７、竪樋８、L字樋９を経て球払出装置１０へ流送され、球払出装置１０から誘導樋１１を経て上皿（図示略）へ払い出される。
【００４９】
次に、第１球通路ユニットＡ、第２球通路ユニットＢの動作及び効果を説明する。島から流下した遊技球Ｋは、受け皿１５に一旦受け止められてから、自重で付勢された遊技球Ｋが底板３０上または底板３０上の遊技球Ｋの上に落ちて下流方向に流れる。そして、図５、図７に示す通り、平面領域Ｒ1等に流れる遊技球Ｋは、一旦、迂回通路３８に入ってから迂回リブ３９を回り、球流出部３１に向かうことで、遊技球Ｋの集中を防止し、詰まりを確実に防止できる。また、平面領域Ｒ2に流れる遊技球Ｋは、突状部３４の片面に衝突してその勢いを減じつつ誘導され、流れが斜め内側になり、そして、一部が迂回通路３８に流れる、あるいは、傾斜面３７の傾斜で逆方向に戻され、迂回通路３８からの遊技球Ｋと合流する。突状部３４と迂回リブ３９の間の領域から下流に入る遊技球Ｋは、迂回リブ３９に誘導されて、球流出部３１に落とし込まれて下流に流れることで、遊技球Ｋの詰まりを防止する。また、遊技球Ｋの集中を有効に防止することで、球タンク３とタンクレール４を小型にでき、球タンク３及びタンクレール４の周囲のスペースを拡大できるので、遊技盤（図示略）に備え付けられたセンター役物（図示略）の大型化に対応させることができる。
【００５０】
三角形状の突状部３４で遊技球の流れ方向が変更され、一部の遊技球Ｋが迂回通路３８に迂回して戻ることで、迂回通路３８が遊技球の緩衝地帯（バッファーゾーン）として有効に作用し、遊技球Ｋが迂回リブ３９に誘導されながら球流出部３１に入るので、遊技球Ｋに球圧が加わることを防止して、球流出部３１付近に貯留された遊技球Ｋの球詰まりを防止して、球流出口３１の球通路を一条にすることが可能となり、１条のタンクレール４に円滑に誘導することができ、さらに、タンクレール４も小型化することができる。
【００５１】
迂回リブ３９の下部が球流出部３１の上面より高く設定されるので、遊技球Ｋの球流出部３１への流れが円滑になり、遊技球の詰りが少なくなる。
【００５２】
迂回リブ３９と球流出部３１とが、球流出部３１に向かって徐々に傾斜が低くなる傾斜面で接続されるので、遊技球Ｋの移動速度が加速でき、球流出口３１への流下速度が早くなる。
【００５３】
迂回リブ３９が三角リブ形状で長手方向に延び出すので、迂回通路３８から球流出部３１へ円滑に遊技球Ｋを誘導することができる。
【００５４】
球流出部３１と迂回リブ３９が横並びに形成され、球流出部３１に臨む迂回リブ３９の面が湾曲面となり、下流に行くに従い徐々に球流出部３１と迂回リブ３９の面の間隔が狭くなるので、遊技球Ｋの球流出部３１への適切な誘導が可能である。
【００５５】
球タンク３の底板３０が球流出部３１に向かって低くなるように傾斜するのに対し、迂回通路３８の底面が下流に向かって高くなるように傾斜するので、迂回通路３８での遊技球Ｋの戻りが円滑になる。
【００５６】
突状部３４が迂回リブ３９よりも上流に位置するので、協働して、遊技球Ｋの球流出部３１への誘導率を適切に制御できる。
【００５７】
タンクレール４の球タンク３から下流側の領域の前部と後部にそれぞれ構造の相違する第１球均し部材５と第２球均し部材６を配置するので、遊技球Ｋの誘導を円滑とし、タンクレール４を小型化できる。
【００５８】
球タンク３及びタンクレール４の底面の傾斜が、右下がりに連続して形成されるので、自重による遊技球Ｋの流れ方向が順方向に連続することによって一層円滑になる。
【００５９】
球流出部３１に向かって傾斜する傾斜角度が相違する少なくとも稜線Ｌにより仕切られる２つの平面領域Ｒ1及びＲ2を備えるので、球流出部３１への球詰まり防止の効率が高まる。
【００６０】
底板３０の面からの高さが、遊技球Ｋの直径の１〜２倍となるように受け皿１５の高さ位置が設定されたので、迂回通路３８への遊技球Ｋの出入りを上下方向から規制することで、球詰まりを防止できる。
【００６１】
第２球通路ユニットＢは、裏側縦材２ａに対して、遊技領域と反対側の領域で竪樋８が迂回配置され、裏側縦材２ａの奥行範囲内に収容され、あるいは、竪樋８、Ｌ字樋９が外枠奥行き寸法よりはみ出ないので、遊技領域の背面側のスペースが拡大でき遊技領域の背面側の部品スペースが十分確保できるので、遊技領域の拡大に伴う遊技領域背面側の部品レイアウトに対応することができ、設計の自由度を高めることができる。また、第２球通路ユニットＢを１条構造で、全体を小型化でき、異物を侵入させ難くなるので不正防止効果を高めることができる。
【００６２】
以上の実施形態は、本発明の実施のための好ましい実施形態の例示であること、また、当業者は、本発明の開示に鑑みて、本発明の要旨から離れることなく多数の改良、変更、置換、欠失、追加等が可能である。例えば、遊技機の一例としてパチンコ機について説明したが、他の遊技機、例えば雀球遊技機やアレンジボール遊技機などに適用してもよい。
【００６３】
本願発明の特許請求の範囲には、主として、タンク３とタンクレール４の構造に関する発明を規定したものである。関連する別の発明として、第２球通路ユニットＢの構造の発明がある。従来の発明では、遊技領域の裏側の省スペース化が未だ十分ではなかった。そこで、第２球通路ユニットＢの発明は、竪樋８が裏側縦材２ａに対して迂回して配置されることで、竪樋８を遊技領域の外側に配置し、あるいは、竪樋８を裏側縦材２ａ及び外枠２２の間に配置するので、裏スペースの拡大や不正防止効果を図り、第２球通路ユニットＢを１条構造として小型化できる。詳細は上記実施形態と図面に記載した通りである。
【符号の説明】
【００６４】
Ｌ1・・・  タンク３の長さ
Ｌ2・・・  タンクレール４の長さ
Ｌ3・・・  球流出部３１の長さ
Ｈ1・・・  タンク３の前板の高さ
Ｈ2・・・  タンク３の後板の高さ
Ｒ1及びＲ2・・・  平面領域
Ｌ・・・  稜線
Ａ・・・  第１球通路ユニット
Ｂ・・・  第２球通路ユニット
１・・・  球供給装置
２・・・  内枠
２ａ・・・  裏側縦材
２ｂ・・・  表側縦材
２ｃ・・・  切欠部
３・・・  球タンク
３ａ・・・  凹部
３０・・・  底板
３１・・・  球流出部
３２・・・  右側板
３３・・・  左側板
３４・・・  突出部
３５・・・  前板
３６・・・  後板
３７・・・  傾斜面
３８・・・  迂回通路
３９・・・  迂回リブ
４・・・  タンクレール
４０・・・  カバー
４１・・・  屈曲部
４２・・・  爪部
４３，４４・・・  凸部
５・・・  第１球均し部材
６・・・  第２球均し部材
６ａ・・・  凹部
７・・・  横樋
８・・・  竪樋
９・・・  Ｌ字樋
１０・・・  球払出装置
１１・・・  誘導樋
１２・・・  規制部
１３・・・  底部材
１５・・・  受け皿
１６・・・  皿本体
１７・・・  仕切板
１８・・・  軸
１９・・・  押え板
２０，２１・・・  開口
２２・・・  外枠
２３・・・  ヒンジ
【図１】
2014200452.tif 000003
【図２】
2014200452.tif 000004
【図３】
2014200452.tif 000005
【図４】
2014200452.tif 000006
【図５】
2014200452.tif 000007
【図６】
2014200452.tif 000008
【図７】
2014200452.tif 000009
【図８】
2014200452.tif 000010
【図９】
2014200452.tif 000011
【図１０】
2014200452.tif 000012
【図１１】
2014200452.tif 000013